(57)【要約】【課題】  紐状体を例えば首の後の部位に簡単に、かつ確実に連結固定する止め具を提供する。【解決手段】  紐状体の止め具は一端側止め具体１と他端側止め具体２とからなり、一端側止め具体１の挿入体３を他端側止め具体２の貫通孔４を通過され鎖部９を溝５内に引き込んで挟持することにより連結固持が行われる。【選択図】  図２
0003143430.tif 000002
【実用新案登録請求の範囲】
【請求項１】
紐状部材の両端を連結してエンドレス状の部材とするための止め具であって、該止め具は、前記紐状体の一端に固定される挿入体からなる一端側止め具体と、前記紐状体の他端に固定され前記一端側止め具体の貫通可能の貫通孔と該貫通孔に連通して前記紐状部材の挟持可能の挟持部を有する他端側止め具体とからなることを特徴とする紐状体の止め具。
【請求項２】
前記他端側止め具体は薄板部材に前記貫通孔及び挟持部を貫通形成したものからなることを特徴とする請求項１に記載の紐状体の止め具。
【請求項３】
前記挿入体及び前記薄板部材が弧状に曲折したものからなることを特徴とする請求項１又は２に記載の紐状体の止め具。
【請求項４】
前記挟持部が、前記貫通孔に連通し、前記紐状体を挟持可能とする溝からなることを特徴とする請求項１乃至３のいずれかに記載の紐状体の止め具。
【請求項５】
前記溝が底部に向かって縮寸され、その縮寸箇所で前記紐状体を挟持可能とするものからなることを特徴とする請求項４に記載の紐状体の止め具。
【請求項６】
前記溝が底部に向かって縮寸するテーパ状のものからなることを特徴とする請求項５に記載の紐状体の止め具。
【請求項７】
前記溝には前記紐状部が挟持される突起部が形成されることを特徴とする請求項４に記載の紐状体の止め具。
【請求項８】
前記貫通孔の円周と及び／又は前記溝の底部と前記薄板部材の周縁との間が微厚の寸法に形成されることを特徴とする請求項４に記載の紐状体の止め具。
【考案の詳細な説明】
【技術分野】
【０００１】
本考案は、例えば、ネックレスのような紐状体の両端を着脱可能に連結するための止め具に係り、特に、止め具の着脱動作が容易にでき、紐状体の円周長が調整でき、構造簡単で安価に実施できる紐状体の止め具に関する。
【背景技術】
【０００２】
紐状体、例えば、ネックレスのようなものを首にかける場合、通常は首の後で止め具を連結する動作が行われる。この場合、係着し易く、かつ紐状体を固持し得る止め具であることが望ましい。このため、従来より、各種の構造の止め具が開発され、使用されている。その公知技術として、例えば、「特許文献１」，「特許文献２」，「特許文献３」等が挙げられる。
【特許文献１】登録実用新案第３０２１５６２号（図１）
【特許文献２】実用新案公開平６−２１４１５号（図１）
【特許文献３】特許公開平１１−４６８２６号（図１）
【考案の開示】
【考案が解決しようとする課題】
【０００３】
「特許文献１」の「登録実用新案第３０２１５６２号」の「装身具用止め具」は、リング状のクラスプ（１４）にこの内径にほぼ近い円状の装飾体（１８）を係着して装飾性を保ちながら装身具（１２）の連結をするものであり、装飾性はあるが、クラスプ（１４）と装飾体（１８）のリング（１６）との係着動作が首の後等においては難しい問題点がある。
また、「特許文献２」の「実用新案公開平６−２１４１５号」の「ネックレス等の止め金具」はプレート（２）の係止ピン（４）に引輪（３）を係着するものであるが、前記の「引用文献１」と同じく首の後での係着動作は難しい。また、「引用文献１」及び「引用文献２」は連結後の輪の長さの調整ができない問題点がある。
一方、「特許文献３」の「特許公開１１−４６８２６号」の「装身具」は長さの調整は容易であるが、始めからリング状のものからなり紐状体から止め具によってリング状にするものではなく、本考案とは構造的に相異するものである。
【０００４】
本考案は、以上の事情に鑑みて考案されたものであり、首の後においての係着が容易にでき、連結後の輪の長さの調整が自由にでき、構造簡単で、安価に実施できる紐状体の止め具を提供することを目的とする。
【課題を解決するための手段】
【０００５】
本考案は、以上の目的を達成するために、請求項１の考案は、紐状部材の両端を連結してエンドレス状の部材とするための止め具であって、該止め具は、前記紐状体の一端に固定される挿入体からなる一端側止め具体と、前記紐状体の他端に固定され前記一端側止め具体の貫通可能の貫通孔と該貫通孔に連通して前記紐状部材の挟持可能の挟持部を有する他端側止め具体とからなることを特徴とする。
【０００６】
また、請求項２の考案は、前記他端側止め具体は薄板部材に前記貫通孔及び挟持部を貫通形成したものからなることを特徴とする。
【０００７】
また、請求項３の考案は、前記挿入体及び前記薄板部材が弧状に曲折したものからなることを特徴とする。
【０００８】
また、請求項４の考案は、前記挟持部が、前記貫通孔に連通し、前記紐状体を挟持可能とする溝からなることを特徴とする。
【０００９】
また、請求項５の考案は、前記溝が底部に向かって縮寸され、その縮寸箇所で前記紐状体を挟持可能とするものからなることを特徴とする。
【００１０】
また、請求項６の考案は、前記溝が底部に向かって縮寸するテーパ状のものからなることを特徴とする。
【００１１】
また、請求項７の考案は、前記溝には前記紐状部が挟持される突起部が形成されることを特徴とする。
【００１２】
また。請求項８の考案は、前記貫通孔の円周と及び／又は前記溝の底部と前記薄板部材の周縁との間が微厚の寸法に形成されることを特徴とする。
【考案の効果】
【００１３】
本考案の請求項１の紐状体の止め具によれば、一端側止め具体の挿入体を他端側止め具体の貫通孔に入れて挟持部に紐状体を挟持するだけの動作で止め具の連結ができるため、その係着作業は極めて簡単である。また、挟持部に挟持される紐状体の位置は自由に選択できるため、輪の長さ調整も極めて容易にできる。
【００１４】
また、請求項２の紐状体の止め具によれば、他端側止め具体は、薄板部材からなり、これに貫通孔と挟持部とを貫通形状したものからなり、製作容易であり、安価軽量のものからなる。
【００１５】
また、請求項３の紐状体の止め具によれば、挿入体と薄板部材が弧状に形成されることにより両者の係合がより一層確実に行うことができる。
【００１６】
また、請求項４の紐状体の止め具によれば、挟持部が貫通孔に連通した溝からなり、製作性もよく、紐状体の挟持も溝の任意の位置で容易に行うことができる。なお、溝は底止まりのものからなるため紐状体の外れは生じない。
【００１７】
また、請求項５の紐状体の止め具によれば、溝を底部に向かって縮寸のものから形成することにより挟持性の向上が図れる。
【００１８】
また、請求項６の紐状体の止め具によれば、溝をテーパ状にすることにより、請求項５の場合とほぼ同じく確実の挟持ができる。
【００１９】
また、請求項７の紐状体の止め具によれば、溝が仮りにストレート巾のものであっても突起部を形成することにより、紐状体の挟持がより確実に行われる。
【００２０】
また、請求項８の紐状体の止め具によれば、貫通孔の円周や溝の底部と薄板部材の周縁との間が微厚に形成されることによりバネ効果が生じ、より強い挟持力が得られる。
なお、以上の貫通孔や溝はプレスによる打板加工やハツリ加工により容易に製作することができ、その製作は容易である。
【考案を実施するための最良の形態】
【００２１】
以下、本考案の紐状体の止め具の実施の形態を図面を参照して詳述する。なお、紐状体の止め具２００は紐状部材（例えば、ネックレス１００）の両端に連結固持されている一端側止め具体と他端側止め具体とからなる。
【実施例１】
【００２２】
本実施例では、紐状部材をネックレスとしたが、勿論これに限定するものではなく、一般的な金具にも適用される。
図１に示すように、ネックレス１００はその途中に装飾体７を複数個配置した紐体からなり、この紐体は玉部８と一端側に鎖部９を形成したものからなる。この一端側の鎖部９には一端側止め具体１の基端側が連結固定され、他端側には他端側止め具体２の基端側が玉部８に直接連結固定されている。
【００２３】
一端側止め具体１の挿入体３は本実施例では細長の無垢の棒体からなり、やや弧状に曲げられたものからなる。勿論、挿入体は板状のものでもよく、弧状でなくストレートのものでもよい。
一方、他端側止め具体２は薄板部材をやや弧状に曲げたものからなり、その先端側には貫通孔４とこれに連通する挟持部の１つである溝５が貫通形成されるものからなる。なお、溝５は先端近傍で底部（止まり部）６を形成したものからなり、その巾寸法は玉部８や鎖部９をその内部で挟持可能の寸法からなる。なお、この薄板部材もストレートでよく、溝５も長溝や短溝であってもよい。
本実施例の紐状体の止め具１００は、前記の挿入体３と貫通孔４及び溝５等の係合によって止め具としての機能を果すものであり、その連結方法を次に説明する。
【００２４】
この連結方法は実際は、首の後で行われるものであるが、ここではその連結のやり方のみを説明する。
図２に示すように、一端側止め具体１の挿入体３を一方の手の指で把持し、その先端を他の手の指で把持している他端側止め具体２の貫通孔４に臨まさせて挿入する。この作業は容易であり、両者がやや弧状に形成されているためストレートの場合よりも実際上やり易いが勿論ストレートのものでも挿入は容易に挿入可能である。次に、図３（ａ）に示すように挿入体３を貫通孔４から通過させ点線で示すように貫通孔４の部位に挿入体３に連結している鎖部９を入れ図３（ｂ）及び図３（ｃ）で示すように挿入体３等を把持してこの鎖部９を溝５に沿ってその底部６側に強く進める。これによって鎖部９が溝５内のある部位、実際上は底部６又はこの近傍で固定される。これによって、前記紐体は不動のリング状のものに形成されることになる。
【実施例２】
【００２５】
前記実施例１では他端側止め具体２の溝５はストレートのものからなるが、この実施例２の他端側止め具体２ａは図４に示すように溝５ａが底部に向かって縮寸する形状のものからなる。なお、この縮寸の形態は任意のものでよく、図４では段付状のものからなる。これによって鎖部９の固持がより確実に行われる。
【実施例３】
【００２６】
図５は他端側止め具体２の他の実施例を示す。この他端側止め具体２ｂはその溝５ｂが底部６に向かって次第に縮寸するテーパ状のものからなる。この形状により、鎖部９がテーパ状の溝５ｂのある位置で確実に挟持される。
【実施例４】
【００２７】
この実施例の他端側止め具体２ｃは図６に示すように溝５ｃの底部６に近い位置に突起部１０を形成したものからなる。これにより鎖部９の固持がこの位置で確実にできる。
【実施例５】
【００２８】
この実施例では図７に示すように貫通孔４の円周や溝５ｄの底部６と薄板部材の周縁との間が微厚のものになっている。このように形成することによってバネ効果が生じ挟持の確実化が図れる。
【実施例６】
【００２９】
前記の実施例１〜５では溝５は長溝のものからなるが、この実施例では溝５ｅは長溝でなく、貫通孔４に接する丸孔状のものからなる。この形態によっても止め具としての機能を果すことができる。
以上の実施例において溝５ａ，５ｂ，５ｃ，５ｄ，５ｅや貫通孔４の形成はプレスの打板加工やハツリ加工によって容易に、かつ正確に加工することができる。
【００３０】
本考案は、以上のような連結方法により行われるが、挿入体３の通し方によって溝５に固持される鎖部９の位置を自由に変えることができるため、連結後のリング体の円周長を自由に所望の長さにすることが容易にできる。また、溝５からの鎖部９の離脱は鎖部９を貫通孔４側に少し強く引っ張ることにより容易に行われ、この鎖部９を把持して移動させることにより挿入体３を貫通孔４から容易に引き出すことができる。
【００３１】
本考案の紐状体の止め具２００は以上の構造からなるが、これが連結される紐状体はネックレス１００に限定するものではなく、すべての紐体に適用されることは勿論であり、一般的な金具にも適用可能である。また、紐状体の止め具２００の構造も前記のものに限定するものではなく、同一技術的範疇のものが適用されることは勿論である。
【産業上の利用可能性】
【００３２】
本考案は、紐状体のすべてに適用可能であり、また、一般的な金具にも適用可能でありその材質や寸法及び大きさについては自由であり、その利用範囲は広い。
【図面の簡単な説明】
【００３３】
【図１】本考案の紐状体の止め具を設けたネックレスを示す斜視図。
【図２】本考案の紐状体の止め具の概要構造とその使用方法の一部を示す斜視図。
【図３】本考案の紐状体の止め具による挟持方法を説明するための模式的断面図（ａ），（ｂ）及びその上面図（ｃ）。
【図４】本考案の第２の実施例を示す平面図。
【図５】本考案の第３の実施例を示す平面図。
【図６】本考案の第４の実施例を示す平面図。
【図７】本考案の第５の実施例を示す平面図。
【図８】本考案の第６の実施例を示す平面図。
【符号の説明】
【００３４】
１      一端側止め具体
２      他端側止め具体
２ａ    他端側止め具体
２ｂ    他端側止め具体
２ｃ    他端側止め具体
２ｄ    他端側止め具体
２ｅ    他端側止め具体
３      挿入体
４      貫通孔
５      溝
５ａ    溝
５ｂ    溝
５ｃ    溝
５ｄ    溝
５ｅ    溝
６      底部
７      装飾体
８      玉部
９      鎖部
１０    突起部
１００  ネックレス紐状部材
２００  紐状体の止め具
【図１】
0003143430.tif 000003
【図２】
0003143430.tif 000004
【図３】
0003143430.tif 000005
【図４】
0003143430.tif 000006
【図５】
0003143430.tif 000007
【図６】
0003143430.tif 000008
【図７】
0003143430.tif 000009
【図８】
0003143430.tif 000010